(57)【特許請求の範囲】
【請求項１】
磁界によって電磁誘導されるタグアンテナを備え、リーダライタに接続されたアンテナとの間で電力の受信、並びに、情報の送受信を非接触で行うＩＣカードタグが取り付けられた物品において、
一面にＩＣカードタグが取り付けられ、前記面に略直交する面に前記ＩＣカードタグとは非接触の別の導電線によるループ状導電線が取り付けられ、
リーダライタに接続されたアンテナより生じる磁界が前記タグアンテナ又は／及び前記ループ状導電線に誘導される一方、前記ループ状導電線に誘導された磁界が前記タグアンテナにも誘導されることで、前記ＩＣカードタグが、前記タグアンテナが誘導される磁界方向及び前記ループ状導電線が誘導される磁界方向の２つの磁界方向に対応して前記リーダライタに接続されたアンテナとの通信を可能とすることを特徴とする物品。
【請求項２】
ループ状導電線は、コンデンサ接続により共振接続されていることを特徴とする請求項１記載の物品。
【請求項３】
請求項１又は請求項２記載の物品のＩＣカードタグを検出するためのアンテナと、前記アンテナに接続し、前記ＩＣカードタグの情報を読み取るリーダライタとを有することを特徴とする物品管理システム。
【請求項４】
請求項１又は請求項２記載の物品を収納する収納棚を備え、
前記物品のＩＣカードタグを検出するための架ループアンテナを前記収納棚の背面側の枠に沿って又は／及び前記収納棚の底面に配置したことを特徴とする物品管理システム。
【請求項５】
収納棚には複数の架が設けられ、前記複数の架に架ループアンテナが配置され、前記複数の架ループアンテナに接続するケーブルと、請求項１又は請求項２記載の物品のＩＣカードタグの情報を読み取るリーダライタと、前記複数のケーブルが接続し、いずれか一つを前記リーダライタに接続する切替器とを有することを特徴とする請求項４記載の物品管理システム。
【請求項６】
請求項１又は請求項２記載の物品を収納する収納棚を備え、
前記物品のＩＣカードタグを検出するためのブック型ループアンテナを、前記収納棚の架を区切るように各棚毎に略平行に複数配置したことを特徴とする物品管理システム。
【請求項７】
収納棚には各棚毎に複数のブック型ループアンテナが配置され、前記複数のブック型ループアンテナに接続するケーブルと、請求項１又は請求項２記載の物品のＩＣカードタグの情報を読み取るリーダライタと、前記複数のケーブルが接続し、いずれか一つを前記リーダライタに接続する切替器とを有することを特徴とする請求項６記載の物品管理システム。
【請求項８】
請求項５又は／及び請求項７記載の物品管理システムに、リーダライタに接続し、物品の管理状況を表示する表示部と、指示を入力する操作部と、物品管理のデータを記憶するメモリと、物品の配置を検出する処理を行う制御部とを有する管理装置を備えたことを特徴とする物品管理システム。
【請求項９】
請求項１又は請求項２記載の物品を管理する区域の出入口のゲートに取り付けられたゲートのアンテナと、前記ゲートのアンテナに接続されるゲート用のリーダライタとを有し、
管理装置は、前記ゲート用のリーダライタに接続し、当該リーダライタを介して制御部が物品の前記区域への出入を検出する処理を行うことを特徴とする請求項８記載の物品管理システム。
【発明の詳細な説明】
【０００１】
【発明の属する技術分野】
本発明は、非接触ＩＣカードシステムを用いた物品管理システムに関する技術であり、図書館等の物品管理場所において、書籍等の物品の所在状況の管理や貸出し状況を管理し、更に物品の不正持ち出しを防止することが可能な物品管理システムに関するものである。
【０００２】
【従来の技術】
第１の従来技術として、まず、ＩＣカードを用いたリーダライタシステムは、一般に非接触ＩＣカードシステムと呼ばれており、例えば約１３．５６ＭＨｚの周波数帯による交通カードシステム、物流システム等に実用化されているものがある。
ＩＣチップにアンテナを備えたタグとこのタグとの通信を行うリーダライタ装置であって、リーダライタ装置にはアンテナが備えられ、このアンテナにより電力と質問データを常時または間欠に送信し、この電力と質問データを受信できる範囲内にあるタグよりの応答データを得るものである。
【０００３】
第２の従来技術として、物品の管理システムとして例えば、図書館の図書管理システムがある。
図２２は従来の図書管理システムに用いられる書籍の一例であり、図２３は従来の図書管理システムに用いられる会員証の一例である。
図書館等に貯蔵されている書籍1は本棚に出版社別や作者別或いはカテゴリー別といった種類毎に分類されて配置されている。
書籍1には図２２に示すようにバーコード２が貼付されており、バーコード２の書籍ＩＤをもとに管理ＰＣ（パーソナルコンピュータ）のメモリ領域に書籍ＩＤ、書籍名、出版社名、貸出会員ＩＤ、貸出日、返却予定日、返却日等の書籍情報ファイルが作成されている。
また、図２３に示すように、利用者に発行される会員証３にもバーコードが貼付されており、同様に管理ＰＣには会員ＩＤをもとに会員ＩＤ、氏名、住所、電話番号、運転免許証番号、貸出中書籍名等の会員情報ファイル作成されている。
【０００４】
利用者が書籍を借りる場合、借用したい書籍と会員証３を係員に渡し、係員は管理ＰＣに接続されている当該書籍及び会員証３のバーコードをバーコードリーダで読み取り、管理ＰＣのメモリ領域には貸出す書籍と借用する会員の氏名、貸出日、返却予定日等が入力され、書籍の貸出しが管理される。
【０００５】
利用者が書籍を返却する場合は、返却箱に本を入れておくことによって、係員が当該書籍のバーコードをバーコードリーダで読み取ることにより、返却日が入力される。その後係員は本棚の元の場所に戻す作業を行う。
【０００６】
第３の従来技術として、特開平11-79328号「貸出用収納管理方式」がある。これは書籍等の貸出用収納物を管理する施設において、貸出用収納物を無人で管理できるようにするため、書籍等の収納場所に書籍が収納されているかどうかを検知する出し入れ検知手段と、この検知手段により検知した時に電波を送信して書籍等に取付けられた非接触式記憶媒体からの識別コードの応答を読み取る手段と、読み取った識別コードを用いて収納場所と収納物を管理する手段についての技術開示が為されている。
【０００７】
【発明が解決しようとする課題】
上記第１の従来技術について、非接触ＩＣカードシステムにおいては、リーダライタに接続されたアンテナに応答するＩＣカード側のアンテナの指向性が有り、ＩＣカードの向きによっては動作しないという問題点があった。
【０００８】
上記第２の従来技術について、書籍管理システムにおいて、返却された書籍を本棚の元の場所に戻す作業には、バーコードリーダでの読み取り作業を行うなど係員の手間と時間がかかる。また、書籍の棚卸しをする場合、係員が書籍がどの収納棚に配置されているかを一冊づつチェックをする必要があり、これも膨大な作業量になる。
【０００９】
更に、利用者が特定の書籍の借用を係員に依頼した場合において、収納棚の指定の位置に書籍が収納されていない場合、係員は、その目的とする書籍を見つけることが困難となる問題がある。またその書籍が館外に不正に持ち出されているような場合、データとしては書籍棚にあるはずの書籍が館内に無いこととなり、書籍を探す無駄な時間を費やすことになる。
【００１０】
ここで、不正持ち出しの防止をする方法として、ＣＤ（コンパクトディスク）販売店等において既に実用化されている技術として、コンデンサとスパイラルコイルからなる無線タグをＣＤに取付け、店舗の出入口に設置した検知器により不正持ち出しを防止するシステム例がある。
各ＣＤに無線タグを取付けることにより、不正に店舗外に持ち出そうとすると、出入口に設置した検出器により検知し、警告音が出される。
そこで、正当に代金の支払いをした場合は、店員が無線タグを取り外すため、店舗の出入口を警告音なしに通過することができるものである。
【００１１】
この従来例を図書館で実施する場合、書籍にバーコードの他に更に無線タグを貼付する必要があり、その設備費が発生することになる。また、貸し出し時に無線タグを取り外すという作業が必要となり、手間と時間がかかることとなる。
【００１２】
第３の従来技術について、この従来技術では書架（収納場所）の管理及び館外持ち出しの場合の管理において、非接触式記憶媒体が書籍の背表紙の位置に取付けられているだけであり、書架への本の出し入れ、またはゲート通過の際に各リーダライタのアンテナからの送信を受信できない場合があり、即ち電波感度が不十分であったり指向性に問題点があった。
また、この感度及び指向性を改善するために書架やゲートに設置するアンテナを高価で複雑なものとする必要があった。
【００１３】
本発明においては、上記の従来の技術における問題点に鑑み、無線ＩＣカードを用いた無線タグを物品に貼付することにより、従来の物品管理業務に加え、リアルタイムな物品位置検出を行うことができ、更に物品の不正持ち出しの防止を行うことができる物品管理システムを提供することを目的とする。
【００１４】
更に本発明においては、無線タグの指向性を改善して感度の向上を簡易な構成で実現することができ、物品の位置管理と不正持ち出し防止をより効率的に行うことができる物品管理システムを提供することを目的とする。
【００１５】
【課題を解決するための手段】
上述した課題を解決するための請求項１記載の発明は、磁界によって電磁誘導されるタグアンテナを備え、リーダライタに接続されたアンテナとの間で電力の受信、並びに、情報の送受信を非接触で行うＩＣカードタグが取り付けられた物品において、一面にＩＣカードタグが取り付けられ、前記面に略直交する面に前記ＩＣカードタグとは非接触の別の導電線によるループ状導電線が取り付けられ、リーダライタに接続されたアンテナより生じる磁界が前記タグアンテナ又は／及び前記ループ状導電線に誘導される一方、前記ループ状導電線に誘導された磁界が前記タグアンテナにも誘導されることで、前記ＩＣカードタグが、前記タグアンテナが誘導される磁界方向及び前記ループ状導電線が誘導される磁界方向の２つの磁界方向に対応して前記リーダライタに接続されたアンテナとの通信を可能とすることを特徴とする。
【００１６】
請求項２記載の発明は、請求項１記載の物品において、ループ状導電線が、コンデンサ接続により共振接続されていることを特徴とする。
【００１７】
請求項３記載の発明は、物品管理システムにおいて、請求項１又は請求項２記載の物品のＩＣカードタグを検出するためのアンテナと、アンテナに接続し、ＩＣカードタグの情報を読み取るリーダライタとを有することを特徴とする。
【００１８】
請求項４記載の発明は、物品管理システムにおいて、請求項１又は請求項２記載の物品を収納する収納棚を備え、物品のＩＣカードタグを検出するための架ループアンテナを収納棚の背面側の枠に沿って又は／及び収納棚の底面に配置したことを特徴とする。
【００１９】
請求項５記載の発明は、請求項４記載の物品管理システムにおいて、収納棚には複数の架が設けられ、複数の架に架ループアンテナが配置され、複数の架ループアンテナに接続するケーブルと、請求項１又は請求項２記載の物品のＩＣカードタグの情報を読み取るリーダライタと、複数のケーブルが接続し、いずれか一つをリーダライタに接続する切替器とを有することを特徴とする。
【００２０】
請求項６記載の発明は、物品管理システムにおいて、請求項１又は請求項２記載の物品を収納する収納棚を備え、物品のＩＣカードタグを検出するためのブック型ループアンテナを、収納棚の架を区切るように各棚毎に略平行に複数配置したことを特徴とする。
【００２１】
請求項７記載の発明は、請求項６記載の物品管理システムにおいて、収納棚には各棚毎に複数のブック型ループアンテナが配置され、複数のブック型ループアンテナに接続するケーブルと、請求項１又は請求項２記載の物品のＩＣカードタグの情報を読み取るリーダライタと、複数のケーブルが接続し、いずれか一つをリーダライタに接続する切替器とを有することを特徴とする。
【００２２】
請求項８記載の発明は、物品管理システムにおいて、請求項５又は／及び請求項７記載の物品管理システムに、リーダライタに接続し、物品の管理状況を表示する表示部と、指示を入力する操作部と、物品管理のデータを記憶するメモリと、物品の配置を検出する処理を行う制御部とを有する管理装置を備えたことを特徴とする。
【００２３】
請求項９記載の発明は、請求項８記載の物品管理システムにおいて、請求項１又は請求項２記載の物品を管理する区域の出入口のゲートに取り付けられたゲートのアンテナと、ゲートのアンテナに接続されるゲート用のリーダライタとを有し、管理装置は、ゲート用のリーダライタに接続し、当該リーダライタを介して制御部が物品の前記区域への出入を検出する処理を行うことを特徴とする。
【００２８】
【発明の実施の形態】
以下、本発明の実施の形態として図１〜図２１を参照して詳述する。
図１は物品にＩＣカードタグを貼付した第１の実施例であり、書籍１の表紙または裏表紙に無線による質問データの受信及び応答データの送信を行うＩＣカードタグ２０を貼付した場合の図である。この実施例の場合のＩＣカードタグによる磁界方向は図示したように本の表紙方向及び裏表紙方向となる。
また、図２は物品にＩＣカードタグを貼付した第２の実施例であり、書籍１の表紙または裏表紙の内側２０ａあるいは２０ｂの位置にＩＣカードタグを貼付した場合の図である。この場合書籍を閉じている状態での磁界方向は図１の実施例と同様となる。
【００２９】
図１８は物品にＩＣカードタグを貼付した第３の実施例である。
この実施例においては、ＩＣカードタグを書籍の背表紙に貼付したものであり、磁界の方向は図示したような背表紙方向となる。
ここで、ＩＣカードタグの構成について説明すると、ＩＣチップに導電線が接続されてこの導電線がループ形状となっておりループアンテナの役割を為してタグアンテナとなる。そして後述するリーダライタに接続されたアンテナより生じる磁界がこのタグアンテナに電磁誘導されてＩＣカードタグが起動しリーダライタとの通信を可能とするものである。このＩＣカードタグは約０．５ミリメートル以下程度の筐体に挟んで固定されているものである。
【００３０】
図１９は物品にＩＣカードタグとループ状導電線を貼付した実施例であり、図１９（ａ）はループ状導電線を表紙または裏表紙に配置した説明図である。
前述した図１８の書籍にＩＣカードタグとは別の導電線によりループ形状としたループ状導電線をＩＣカードタグを貼付した面とは別の面に貼付しているもので、この実施例においては、書籍の裏表紙（または表紙）の内側に挟んだものである。
【００３１】
図１９（ｂ）はＩＣカードタグとループ状導電線による磁界方向の説明図である。
このループ状導電線はＩＣカードタグとは物理的接続はないが、リーダライタに接続されたアンテナより生じる磁界はＩＣカードタグのタグアンテナまたはループ状導電線またはこれら両方に誘導されることとなる。そこで、ループ状導電線に誘導した磁界はさらにタグアンテナにも誘導されるため、タグアンテナは磁界による感度を高めることができ、また、タグアンテナが誘導される磁界方向及びループ状アンテナが誘導される磁界方向の２つの磁界方向に対応して通信を可能としている。
これは、ＩＣカードタグのタグアンテナとループ状導電線の両方がアンテナの役割を果たし、背表紙に貼付したＩＣカードタグと裏表紙に挟み込んだループ状導電線とは直交する方向の磁界方向を有することができ、従ってこのＩＣカードタグとループ状導電線との対により互いに直交する磁界方向の誘導を得ることができるものである。
【００３２】
図１９（ｃ）はループ状導電線にコンデンサを接続した実施例図であり、このコンデンサとループ状導電線のインダクタンスとでリーダライタの送信周波数またはその近傍に共振を取ることによりループ状導電線による効率をより高めることができる。
また、ループ状導電線の周回数は、ループを形成するには少なくとも１周は必要となるが、ＩＣカードタグまたは物品の大きさなどにより適宜決定することができる。
【００３３】
図１９（ｄ）はループ状導電線を紙片により挟み込んで固定した構造例の図であり、封筒のようなものにループ状導電線を入れたものとしてもほぼ同様の構成とすることができる。
紙片には書籍の貸出し履歴を記載するような記述を印刷したものを用いることで書籍の貸出カードのようなものとしてもよく、また紙片はプラスチック片でも構わない。
また、ループ状導電線は書籍の大きさや前記貸出カードの大きさにほぼ合致させるなど、適宜必要な大きさ（ループさせた導電線に囲まれた面積の大きさ）とすることができる。
【００３４】
図３は本発明に係る収納棚の第１の実施の形態であり、図４はブック型ループアンテナの第１の実施の形態、図５はブック型ループアンテナの第２の実施の形態である。
【００３５】
図３において、書籍を収納する収納棚（本棚）８０の各架（８１〜８６）の各々の中央部付近にブック型ループアンテナ３０（３０ａ、３０ｂ、…）が配置されている。これは図４に示すようにループアンテナ３１がコネクタ３２と接続されており、このブック型ループアンテナは図５のようにブックエンド型３５のように書籍を立てた状態として数冊毎の書籍の仕切り板としてもよい。
【００３６】
この実施例において本棚８０は６つの架に区切られており、本棚の天板の上にリーダライタ４０及びアンテナ切替器５０が設置されており、アンテナ切替器からは架と同数の６本のケーブル（６１〜６６）が接続され、ケーブル６１は架８１のブック型ループアンテナ３０ａのコネクタ３２に接続され、ケーブル６２はブック型ループアンテナ３０ｂのコネクタ３２に接続され、以下同様に６本のケーブルが各々の架のブック型ループアンテナに接続されている。
【００３７】
図７はブック型ループアンテナまたは後述するゲート設置のループアンテナの磁界強度を示す説明図であり、本棚の幅（１つの架の幅）をｘメートルとすると、ブック型ループアンテナが各架の略中心に配置され左右約数冊づつ（実施例では左右計４冊）の書籍の有無を検出制御することができる。
【００３８】
図７におけるループアンテナの磁界強度を示すグラフは、波形の一番大きな位置（ｘの中心位置）より距離が離れるにしたがって磁界強度は弱くなり、通信可能な距離はｘの範囲内となるものである。
そこで、架の幅をｘ以下とすることで、磁界レベルがスレッシュホールドレベルＡ以上で確実に動作するため、１つの架に１つのブック型ループアンテナを有することにより本棚全体をカバーすることが出来るものである。尚、Ａは通信可能となる磁界の強さ（レベル）を表す。
【００３９】
上述した６つの各々のブック型ループアンテナをアンテナ切替器を介してリーダライタ（Ｒ／Ｗ）と接続することで、１つのリーダライタで図３に示した本棚全体を制御することができる。
アンテナ切替器の構成及び動作については後述するが概略としては、架８１のブック型ループアンテナ３０ａが動作し、次に架８２の３０ｂが動作し、というように順次各ブック型ループアンテナを動作させ、架毎に順番に制御する。
また、架毎にリーダライタを設置させると本例では６つのリーダライタが必要になるが、アンテナ切替器は不要となる。しかし、常時書籍を監視する必要はなく、一定時間毎に各架毎に書籍の検出を行うことで、書籍の所在管理を行うには充分であり、リーダライタを６つ設置するよりも１台のリーダライタに６つの架を切替えるアンテナ切替器を設置する方が、設備費の面でもコスト低減することができる。
【００４０】
図６は本発明に係る収納棚の第２の実施の形態である。
図６においては、本棚の各架の幅が長い場合に、各架（８７〜８９）の両端より書籍数冊分内側付近の位置にブック型ループアンテナ３０を配置する方法も考えられる。次に具体的に配置する位置について図８を用いて説明する。
【００４１】
図８はブック型ループアンテナまたは後述するゲート設置のループアンテナを略平行に２つ配置した場合の磁界強度を示す図である。ブック型ループアンテナでは前述した図６のように１つの架に２つを配置するもので、各架の幅の長さがｙメートルとすると、それぞれのブック型ループアンテナを中心にｘメートルの距離の範囲内を磁界を検出可能なものとなる。その場合、前述した図７のブック型ループアンテナの電波到達距離によれば、ｚに位置する書籍（図６では２冊）が検出できないことになる。
しかし、図８に示すように、２つのブック型ループアンテナ３０ｇと３０ｈを配置した場合、磁界が合成され、点線Ｂに示すように通信可能となるスレッシュホールドレベルＡ以上になるために、ｚに位置する本も検出可能となり、従ってより多くの書籍を検出することができるという効果を有する。
【００４２】
ここで、ループアンテナを２つ配置した場合の磁界の合成について説明する。
空間の任意の点における磁界の合成は各々のループアンテナが作る磁界のベクトル合成となる。したがって、２つのループアンテナの間の空間での磁界が１つのループアンテナで作る磁界より増えるようにアンテナの向きを調整するか若しくはループアンテナの極性を調整することにより図８に示すように２〜３割程度大きな幅とすることが可能となる。
【００４３】
図６では図３と同様に、本棚８０にはリーダライタ４０及びアンテナ切替器５０が設置されており、アンテナ切替器５０からは６本のケーブル（６１〜６６）が接続され、ケーブル６１は架８７のブック型ループアンテナ３０ｇのコネクタ３２に接続され、ケーブル６４はブック型ループアンテナ３０ｈのコネクタ３２に接続される。
この実施例においては、１つの架に２つのブック型ループアンテナを配置したが、架の幅により必要に応じ３つ以上配置するようにしても良い。
【００４４】
図９はＩＣカードタグ２０の書籍１への表紙または裏表紙に貼付する方法を説明する図である。
ＩＣカードタグは書籍１の６箇所（４〜９）のうちの１箇所に貼付する。これはＩＣカードタグ２０を同一の位置（例えば９の位置）に貼付してた場合、数冊の書籍１が１つの架に収納されると、ＩＣカードタグ２０内部のコイル同士の相互誘導の度合いが大きくなる。これにより、ブック型ループアンテナから検出することができる距離が短くなる問題が生じてしまう場合がある。
そこで、１つのブック型ループアンテナでより多くの書籍を検出するためには、書籍の６個所（４〜９）のうちの何れかにランダムにＩＣカードタグを貼付して、できるだけタグ内部のコイル同士が重ならないようにすることで、検出距離を延ばすことが可能となる。
最も効果的には例えば１つの架に６冊並べた書籍の場合、各々の貼付位置が４、５、６、７、８、９の位置に各々貼付されていることが望ましいが、２〜３冊程度同じ位置に貼付されていても検出できないものではないため、貼付作業の際、ランダムに貼付する程度で良く、またランダムに貼付した場合に確率的に重なる位置となることは少ない。
【００４５】
図２０は本発明に係る収納棚の第３の実施の形態である。
収納棚８０は、６つの架に区切られており、リーダライタ４０及びアンテナ切替器５０が設置されており、リーダライタは管理ＰＣと接続され、また、アンテナ切替器と接続され、アンテナ切替器からは架と同数の６本のケーブル（６１〜６６）が接続され、各ケーブルは各架の背面側の枠に沿って周回しているループアンテナ（架ループアンテナと呼ぶ）に接続されている。尚、架ループアンテナとケーブルとはコネクタ接続されていても良い。
【００４６】
前述した図３はブック型ループアンテナを用いているが、本実施例においては架ループアンテナを各架の背面に沿って設置しているものであり、磁界方向としてはブック型ループアンテナを設置した場合の直交方向となるものである。
本実施例による架ループアンテナの場合、図１８に示したような書籍の背表紙にＩＣカードタグを取付けたものに特に有効となる。
すなわち、書籍の背表紙に取付けたＩＣカードタグと架ループアンテナとの通信が他の書籍の背表紙に取付けたＩＣカードタグの磁界の影響を受けることが少なく、１つの架ループアンテナと複数のＩＣカードタグとの通信を行うことができる。
これは前述したブック型ループアンテナと図１または図２に示したＩＣカードタグとの通信に比べると、１つの架により多くの書籍を配置することができるものである。
【００４７】
ここで、リーダライタはアンテナ切替器を接続しているため、各架ループアンテナは同時に動作することは無い。したがって、各架ループアンテナが相互に磁界に影響を与えることは無い。
【００４８】
図２１は本発明に係る収納棚に実施の形態であり、図２１（ａ）は収納棚の第４の実施例、図２１（ｂ）は収納棚の第５の実施例である。
図２１（ａ）では、３つの架を備えており、本棚８０にはリーダライタ４０及びアンテナ切替器５０が設置されており、アンテナ切替器５０からは６本のケーブル（６１〜６６）が接続され、ケーブル６１は架８７の背面側の枠に沿って架ループアンテナに接続され、この収納棚８０全体を６１〜６３のケーブル３本（と架ループアンテナ３つ）で制御するものである。
更にケーブル６４〜６６は別の収納棚（図示せず）に設置した架ループアンテナ３つに接続することにより、複数の収納棚を１つのリーダライタと１つのアンテナ切替器で制御することができる。
【００４９】
図２１（ｂ）は収納棚の第５の実施例では、架ループアンテナを底板の枠に沿って配置しているものであり、底板を上下に移動することで他の底板との間隔をずらすことができ、収納物の高さに応じて調整することができる。
また、磁界の方向としては書籍の背表紙に貼付したＩＣカードタグにおいては図２１（ａ）と同様であり、図２０に示すような収納棚にも底板に配置する架ループアンテナとすることもできる。
尚、これら図２０、図２１に示したような収納棚によると、書籍を出し入れする棚の前面側や側面側をリーダライタと架ループアンテナを接続するケーブルが通らないために前面側から外観視した美観を損ねることがない。
【００５０】
図１０は本発明に係る物品管理システムの全体ブロック構成例図であり、物品管理区域全体を示したものである。
貸出し管理を行うパソコン等の管理コンピュータ部と、書籍等の物品が収納される収納棚部と、物品を搬入出する出入口部と、より構成され、管理コンピュータ部は貸出し管理を行う管理ＰＣ１２１（パソコン）と、管理ＰＣに接続されたリーダライタ１２２とより構成され、管理ＰＣはキーボード等の操作部と、表示を行う表示部と、記憶手段であるメモリを備え、図示しないインタフェースよりリーダライタ１２２及び収納棚部と出入口部のリーダライタにそれぞれ接続されている。
また、各リーダライタとは各種のデータを送受信しており、これらの各種データメモリに更新記憶している。尚メモリについては後述する。
【００５１】
収納棚部は棚毎または複数の棚毎に配置されたリーダライタ４０と、このリーダライタ４０に接続されたアンテナ切替器５０と、アンテナ切替器に接続された各架毎のアンテナとより構成されており、このアンテナはブック型ループアンテナまたは架ループアンテナであり、前述した図３、図６、図２０、図２１に示すような構成である。
出入口部は出入り口を物品が通ることを検出するアンテナを含んだゲート１１１と、このアンテナに接続されたリーダライタ１１０とより構成されている。
【００５２】
図１３は前述した管理ＰＣ１２１のメモリについて、特に物品管理に係るデータを蓄積する記憶領域を表す各情報ファイルの図であり、メモリの各記憶領域には、図１３（ｂ）は書籍情報ファイルのメモリテーブル図、図１３（ａ）は会員情報ファイルのメモリテーブル図、図１３（ｃ）は棚卸情報ファイルのメモリテーブル図を示す。
メモリの各記憶領域（各情報ファイル）について図書館の書籍貸出を例として次に説明する。
【００５３】
図１３（ｂ）の書籍情報ファイルは、書籍毎に個別の書籍ＩＤが付与され、この書籍ＩＤに基づく関連データとして、書籍名、出版社名が登録記憶されており、また当該書籍の貸出会員ＩＤ、貸出日、返却予定日、返却日が更新記憶され、また、当該書籍が不正に持ち出されている場合の紛失エラーが更新記憶される。
更に当該書籍の所在位置である架ＩＤが記憶される。これは当該書籍が棚のどの位置またはどの棚のどの架の位置に収納されるものかどうかを固有の棚または架の番号を架ＩＤとして記憶される。
【００５４】
図１３（ａ）の会員情報ファイルは、図書館を利用する会員毎に個別の会員ＩＤが付与され、この会員ＩＤに基づく関連データとして、会員の氏名、住所、電話番号、運転免許証等の本人確認番号が登録記憶されており、また当該会員が書籍を借りている場合、即ち書籍の貸出中の場合にはその書籍ＩＤが借用書籍ＩＤとして更新記憶される。
【００５５】
図１３（ｃ）の棚卸情報ファイルは、収納棚の架毎に（即ち、棚毎または架毎に配置されたアンテナ毎に）個別の架ＩＤが付与され、この架番号に基づく関連データとして、当該架が物品管理区域（図書館内）のどこにあるかを示す設置場所等が登録記憶され、更に各架に収納されるべき書籍の書籍ＩＤ（配置書籍ＩＤ）、当該書籍が現状当該架にあるかどうかを把握する配置エラー、当該書籍が貸出されている場合の貸出した会員の会員ＩＤ、前述した書籍が不正に持ち出された場合の紛失エラーの有無を架毎に把握する架紛失エラー、等が更新記憶される。また、図示しないが、架毎及び棚毎に現状いくつの書籍があるか、または貸出している書籍も含めていくつの書籍があるべきか、を集計する架合計数、棚合計数を記憶更新する。
【００５６】
これらの情報ファイルは、書籍ＩＤ、会員ＩＤ、架番号をリンクデータとして各々関連付けて記憶更新され、管理コンピュータの表示部へ表示することができる。尚、これらデータの登録記憶及び更新記憶については後述する。
【００５７】
図１１は本発明に係る収納棚に設置されたリーダライタ構成を示すブロック図である。
管理ＰＣに対して、本棚に設置されたリーダライタ４０及びアンテナ切替器５０、架ループアンテナまたはブック型ループアンテナが接続される。
リーダライタ４０は図１１に示すように通信インターフェース４１、制御部４２、データ変調部４３、データ復調部４４から構成されている。制御部４２は通信インターフェース４１を介して管理ＰＣに接続されており、また、データ変調部４３及びデータ復調部４４はアンテナ切替器５０に接続されて更に制御部４２はアンテナを切替える信号をアンテナ切替器５０に送出する。
【００５８】
まず、管理ＰＣから書籍情報の読み取り要求が行われる。これは、管理ＰＣからのデータに基づき、通信インタフェース４１、制御部４２を介してデータ変調部４３から書籍ＩＤ読み取りのためのコマンドによって変調された信号、即ち質問データがアンテナ切替器を介してループアンテナへ送信され、ループアンテナによりＩＣカードタグからの応答データを受信するとデータ復調部４４により受け取り制御部４２、通信インタフェース４１を介して管理ＰＣへ送信する。
【００５９】
図１４は本発明に係るアンテナ切替器の実施例を示す。このアンテナ切替器は各アンテナ（架ループアンテナやブック型ループアンテナ）に接続された端子と、該端子を選択して接続するスイッチと、該スイッチの切替えタイミングを制御する制御部から構成され、制御部はリーダライタと接続されている。
各アンテナの切替えは制御部から切替信号により各々の動作を実現できる。アンテナと通信を行うデータはリーダライタとの接続により行われる。
【００６０】
また、図示しないが例えばダイオードスイッチを使用した電気的な切替器の構成とするなど一般的な切替えスイッチとしても良い。
尚、アンテナ切替器の制御部はリーダライタ本体に内蔵されていても良く、更にアンテナ切替器をリーダライタに組込んだものとしても良い。
【００６１】
図１２は本発明に係るＩＣカードタグのブロック図である。
このＩＣカードタグは書籍等の物品に添付されるものであり、リーダライタのアンテナ若しくはリーダライタに接続されたループアンテナから送信された信号をコイル及びコンデンサから成るループアンテナ２１により受信し、受信した信号によって電源生成部２２から制御部２３、メモリ２６に電力供給される。従って、ＩＣカードタグは電池を持たずに動作が可能である。
そして、制御部２３はデータ復調部２４によって復調された読み取りコマンドにもとづいてメモリ２６の書籍ＩＤを読み出し、データ変調部２５により変調された信号をループアンテナ２１から送出する。  また、ループアンテナ２１を除いてはＩＣチップに含まれており、カード状の無線タグとして小型で薄型のＩＣカードタグを実現している。
【００６２】
図１５はリーダライタとＩＣカードタグと各々の構成を示すブロック図であり送受信が行われる説明図ある。
リーダライタは主に送信系ブロックと受信系ブロックと制御部とインタフェースとより構成される。
送信系ブロックは、１３．５６ＭＨｚ等の搬送波を発振する発振器と変調器と送信増幅部により質問データが送信される。
受信系ブロックは、ＩＣカードタグからの信号を受信増幅して復調部により復調し応答データを受信復調する。
また、送信及び受信は結合器により１つのアンテナで為すことができる。
制御部は変調データ及び復調データを必要により各々暗号化及び復号化を行い各々のデータは制御部より外部インタフェースを介してパソコン等の管理コンピュータ（管理ＰＣ）と接続される。
【００６３】
ここで、送受信部を分離し、アンテナ切替器を組込むことにより複数のアンテナとの送受信を行うことができるものが前述した図１１及び図１４に示したものである。
また、ＩＣカードタグは、前述した図１２に示したものと同様であり、これらリーダライタとＩＣカードタグとの通信を質問データとそれに対する応答データを送受信することでデータのやり取りができるものである。
【００６４】
図１７は物品がゲートを通過する際の磁界の方向による通信（リードライト検出）を説明する図である。
ゲートに配置されたループアンテナの磁界方向は図示したようにゲート通過時はゲート面に対して直交方向であるが、物品が通過する際の物品の方向は例えば図中の書籍Ｅや書籍Ｆなどが考えられる。
ここで、書籍の表紙や裏表紙にＩＣカードタグが貼付されている場合は書籍Ｆの状態（通過の際の方向）のときに容易に通信を確立することができ、また書籍の背表紙にＩＣカードタグが貼付されている場合は書籍Ｅの状態（通過の際の方向）のときに容易に通信を確立することができる。これは書籍に貼付されたＩＣカードタグのループアンテナ面とゲートのループアンテナの磁界方向がほぼ直交するためである。
【００６５】
そこで、前述した図１９に示したように書籍の背表紙にＩＣカードタグを貼付し、表紙または裏表紙（またはその内側）にループ状導電線を貼付した場合、書籍の２方向より磁界を受けることができそれらの相互誘導作用により、書籍Ｅ及び書籍Ｆの場合の両方の通過について、容易に通信を確立することができる。
したがって、前述した図３、図６、図２０、図２１の何れの収納棚を用いて且つ図１６（後述）や図１７に示したゲートを用いた場合においても、通信を良好に行うことが可能となる。
【００６６】
ゲートは、パイプ状の空洞部に導電線を少なくとも１周を周回してループアンテナとして、コネクタ等の接続部よりリーダライタに接続するものである。
図１７のようにゲートが１つの場合、即ちループアンテナを１つとした場合は図７に示す電波到達距離を示す図と同様に説明することができる。ゲートに配置（配線）されるループアンテナに対して両側方向のｘメートルの範囲が磁界の到達距離であるため、出入口の中央付近に設置しその両側を物品が通過するものであるが、ゲートから離れた位置を通過するほど、感度が悪くなってしまう。そこで次の図１６（ａ）に示すような２つのゲートを備える構成とすることもできる。
【００６７】
図１６は本発明に係るゲートの構成例図を示し、図１６（ａ）は２つのゲートをリーダライタと接続した場合の外観斜視図、図１６（ｂ）はゲートの長さを変更する説明図、図１６（ｃ）はループアンテナとリーダライタを接続するコネクタの回路図を示す。
【００６８】
図１６（ａ）の実施例においては、２つのゲートを出入口の各両端付近に各々設置し、その間を物品が通過することで、図８で示したように磁界強度の範囲を設定することができる。この場合各ゲートに配置されたループアンテナは１つのリーダライタを２分配したものに接続される。尚、ゲートの数量により分配数を増やせばよく、分配器はリーダライタに組込むようにしてもよい（分配器は図示せず）。
この２つのゲートによりＩＣカードタグを貼付した物品が各ゲートの間を通過することで物品の通過を検出することができる。更には出入口の幅が大きい場合はゲート数をより多く設置することで各ゲート間を通過する物品の検出を行うことができる。
【００６９】
図１６（ｂ）はゲートの長さを可変する技術に関するものである。
ゲートの上部及び下部のほぼ直線部分において、各々２個所の連結部を設けて各連結部の間のゲート部分の長さを変更することでゲートそのものの長さを可変とすることができる。この場合、ループアンテナそのものの長さをゲートの周回（周囲長）に合わせて変更させる。
ゲートの長さが長くなることで物品の通過速度が速くなっても、物品に取付けられたＩＣカードタグとの通信を行うことが容易になる。
【００７０】
図１６（ｃ）のループアンテナとリーダライタとを接続するコネクタについては、ループアンテナ側には共振のためのコンデンサが接続され、トランスを用いた整合回路によりコネクタに接続している。このコネクタはゲートの空洞内に設置し、リーダライタのケーブルと接続するものである。
ここで共振回路のコンデンサとトランスの設定値として、例えばＩＣカードシステムに実用化されている約１３．５６ＭＨｚとなるように下記式のＬ、Ｃの値を設定する。
１／（２π√ＬＣ）＝１３．５６ＭＨｚ
【００７１】
次に通信によるデータの登録記憶及び更新記憶について、図１０及び図１３を中心に関連する図面を用いて説明する。
まず、データの登録記憶について説明する。
図１３（ｃ）の棚卸情報ファイルについては、図１０の収納棚部に示すようにどの棚のどの収納区域であるかを各ループアンテナ毎に定めた設置場所を操作部より入力する。当該設置場所毎に任意のＩＤ若しくは予め定めたフォーマットに従って固有のＩＤ登録を行う。
【００７２】
図１３（ｂ）の書籍情報ファイルについては、書籍の名称（書籍名）、出版社名、書籍の分類等の必須項目となる項目を管理ＰＣの操作部より入力する。書籍ＩＤは必須項目の入力が完了すると、任意のＩＤ若しくは予め定めたフォーマットに従って固有のＩＤ登録を行う。ＩＤ登録された書籍には当該ＩＤが記憶されたＩＣカードタグを書籍に貼付する。
【００７３】
ここで、当該書籍を収納すべき位置（架または棚）が決まっている場合は、その収納するべき架ＩＤも操作部より記憶登録する。この場合は前述した（ｃ）棚卸情報ファイルの架ＩＤの該当する記憶エリアにも当該書籍ＩＤが登録される。従って固有の書籍ＩＤに対しては１つの架ＩＤが登録され、固有の架ＩＤに対しては複数の書籍ＩＤが登録されることとなる。
また、当該書籍を収納すべき位置（架または棚）が決まっていない場合は、直接任意の架または棚に書籍を配置することで、書籍情報ファイルの架ＩＤエリアに該当する架ＩＤが仮登録され、及び棚卸情報ファイルの該当する架ＩＤの配置書籍エリアに該当する書籍ＩＤが仮登録され、完了の操作入力により本登録することもできる。
【００７４】
図１３（ａ）の会員情報ファイルについては、会員となる申込者の氏名、住所、電話番号、免許証等の本人確認となる証の番号等、の必須項目となる項目を管理ＰＣの操作部より入力する。会員ＩＤは必須項目の入力が完了すると、任意のＩＤ若しくは予め定めたフォーマットに従って固有のＩＤ登録を行う。会員となった者には当該ＩＤが記憶されたＩＣカードタグが組込まれた会員カードを発行する。
【００７５】
次に、データの更新記憶について説明する。
物品の貸出処理について図書館の書籍貸出しを例に説明する。
図１０の管理コンピュータ部は、リーダライタ１２２、管理ＰＣ１２１で構成されている。リーダライタ１２２は図１５のアンテナを含むリーダライタまたは図１１のリーダライタ４０とループアンテナの１つが一体化になったものである。尚、図１１の例のようにアンテナ切替器を備える必要は無い。
【００７６】
書籍を貸出す場合の処理はまず、管理コンピュータ部のリーダライタで書籍に貼付されたＩＣカードタグから書籍ＩＤを読み取り、会員証の会員ＩＤを読み取る。読み取る順番はどちらが先でも良い。読み取った各データは書籍情報ファイル（ｂ）では、当該書籍ＩＤに対して「貸出会員ＩＤ」のメモリ領域に会員ＩＤが記憶され、更に当日の「貸出日」、貸出日から任意に定められた「返却予定日」が管理ＰＣの持つ日付データ制御より算出されて記憶される。また、会員情報ファイルには当該会員ＩＤに対して「借用書籍ＩＤ」のメモリ領域に該当する書籍ＩＤが記憶される。
一方、借用のため（貸出すため）に書籍を収納棚より持ち出したことにより、書籍情報ファイル（ｂ）の当該書籍ＩＤの「紛失エラー」、及び棚卸情報ファイル（ｃ）の当該架ＩＤの該当する配置書籍ＩＤの「配置エラー」が検出されて各々マークされる。
そして前述した貸出処理を行うことで、書籍情報ファイル（ｂ）の「貸出会員ＩＤ」が記憶されると、当該ファイルの「紛失エラー」がマークされ、及び棚卸情報ファイル（ｃ）の「配置エラー」のマークは削除されて「貸出中」がマークされる。
【００７７】
すなわち、書籍が本棚より持ち出されたことで棚卸情報ファイル（ｃ）と書籍情報ファイル（ａ）の書籍の所在に関するマークが為され、貸出処理を行うことで会員情報ファイル（ａ）と書籍情報ファイル（ｂ）の書籍貸出に関するデータが記憶され、書籍の所在に関するマークが削除され、貸出処理が完了するものである。
尚、管理ＰＣの表示部には、貸出処理開始となる操作部の入力により会員ＩＤ及び書籍ＩＤの入力を促す表示画面となり、リーダライタ１２２より書籍ＩＤと会員ＩＤを読み取り、確認の操作を行うことで各更新すべきデータが各々の情報ファイルにて更新記憶されて貸出処理が完了する。
また、図示しないプリンタが管理ＰＣに接続している場合に、書籍名や借用者（貸出した会員の氏名）、返却予定日等を印刷したものを貸出カードとして書籍とともに渡しても良い。
更に、書籍の貸出履歴や会員の貸出履歴は各情報ファイルの該当するエリア若しくは別に設けたエリアに記憶しておくこともできる。
【００７８】
書籍を返却する場合の処理は、管理コンピュータ部のリーダライタで書籍に貼付されたＩＣカードタグから書籍ＩＤを読み取る。読み取ったデータは書籍情報ファイル（ｂ）では、当該書籍ＩＤに対して「貸出会員ＩＤ」のメモリ領域が削除され、更に「貸出日」、「返却予定日」が削除される。また、会員情報ファイルには当該会員ＩＤの「借用書籍ＩＤ」のメモリ領域が削除されて返却処理が完了する。
尚、貸出した履歴を記憶しておく場合は会員ＩＤ、書籍ＩＤ、貸出日、返却日（管理ＰＣの持つ日付データ制御より算出される）等、必要な項目を履歴データとして記憶しておくこともできる。
一方、上記返却処理を行うことで書籍情報ファイル（ｂ）と棚卸情報ファイル（ｃ）の「紛失エラー」及び「配置エラー」のエリアがマークされるが収納棚に配置する（いわゆる元の位置に戻す）ことにより各架のループアンテナが当該書籍に貼付されたＩＣカードタグを検出して各エラーのマークは削除される。
【００７９】
次に、不正持ち出しの防止処理について説明する。
図１０の出入口部にはゲート１１１とリーダライタ１１０が備えられ管理ＰＣ１２１に接続されている。リーダライタ１１０は図１１のリーダライタ４０とループアンテナ１つを備えたものでゲート内の空洞部にループアンテナが設置されているものである。尚、図１１の例のようにアンテナ切替器を備える必要は無い。また本実施例ではアンテナをゲートに備えたループアンテナとしているが、出入口部に備えた送受信を行えるアンテナであれば良い。
【００８０】
利用者が貸出処理を行った場合は前述したように書籍情報ファイル（ｂ）に貸出した会員の会員ＩＤが「貸出会員ＩＤ」に記憶されているために、ゲートを通過する際に書籍に貼付したＩＣカードタグとの通信が為され、当該書籍が貸出されている状態であるならばそのまま通過できる。
また、貸出処理を行わずに書籍がゲートを通過しようとした場合は、書籍情報ファイル（ｂ）の当該書籍ＩＤの「貸出会員ＩＤ」に会員データが記憶されていないため不正な持出しと判定される。そこで、例えばゲートに備えられたスピーカ等より警告音が発生され、利用者に正規の貸出し処理を促すことが可能になる。
【００８１】
上述した不正持出し防止処理の場合は出入口部のゲートで検出した書籍ＩＤをリーダライタ１１０を介して管理ＰＣのメモリへアクセスする必要がある。そこで次に、簡易な方法の不正持出し処理について説明する。
利用者が前述の貸出処理を行った場合は借用した書籍のＩＣカードタグのメモリに貸出中である旨を示すデータが書込まれる。これは、例えば１ビットのデータとすると、貸出処理時に「１」が書込まれ、返却時に（すなわち貸出処理を行っていない場合）「０」が書込まれるものであり、従って、このデータを不正持ち出し防止情報として扱うことができる。
利用者が貸出処理を行った書籍を持ってゲートを通過した場合、前記の不正持ち出し防止情報として「１」が読み取られ、すなわち不正な持出しではないため、そのままゲートを通過することができる。
また、貸出処理を行わずに書籍を持ち出そうとした場合、ゲート通過時に「０」が読み取られるために、不正な持出しであると判定される。
このような不正持出し処理であると、管理ＰＣへアクセスすることなく不正持出し防止処理を行うことができる。
【００８２】
このように書籍が不正に持出されようとした場合には上記警告音が発生されるとともにその旨が管理ＰＣに送信され、管理ＰＣでは当該書籍ＩＤとともに表示部に不正持出しが為されようとしていることが表示されるようにする。
管理コンピュータ部と出入口部が離れた位置にあっても書籍の不正な持出しが行われようとすることを管理コンピュータ部付近にいる係員は把握することができる。
【００８３】
書籍の物品管理区域である館内の書籍の棚卸を行うような場合、管理ＰＣの操作部より棚卸作業開始の入力を行う。棚卸作業の制御はまず、（ｂ）書籍情報ファイルと（ｃ）棚卸情報ファイルが参酌される。各情報ファイルの「紛失エラー」及び「配置エラー」がマークされていないかどうかを検索して一覧表示する。
いずれのマークも為されていない場合は各書籍は収納棚の配置されるべき架の位置に配置されているか、若しくは現在貸出中であり館内に当該書籍が無くても問題無い。
一方、各情報ファイルの「紛失エラー」及び「配置エラー」の両方がマークされている場合は館内に当該書籍が無いか、若しくは収納棚のいずれにも配置されていない状態となる。そこで館内に収納棚以外の場所に放置されていなければ、不正持出しされた書籍と判断できる。
また、「紛失エラー」はマークされておらず、「配置エラー」だけがマークされている場合、書籍の収納区域すなわち架または棚への配置がまちがっているものと判断される。係員は該当する書籍を正規の収納区域へ戻すことにより、当該収納区域のループアンテナによりＩＣカードタグが読み取られて「配置エラー」のマークは削除される。
【００８４】
上記棚卸作業とは別の棚卸作業について説明する。
管理ＰＣの操作部より別の棚卸作業開始の入力を行う。書籍情報ファイル（ｂ）の「返却予定日」を検索し既に予定日を過ぎている書籍ＩＤについて「貸出会員ＩＤ」より会員の氏名等のデータとともに一覧表示する。係員は表示されたデータを見て、該当する会員へ電話等で知らせることができ、またこの予定日を過ぎている書籍について、図示しない管理ＰＣに接続されたプリンタ等より該当する会員へ返却要望の旨を記載した文書等を印刷し、係員は印刷された文書を郵送等により会員へ知らせたりすることもできる。
尚、返却予定日より更に一定期間（例えば１ヶ月や６ヶ月等）過ぎている書籍ＩＤを検索するなどしても良い。
【００８５】
また他に会員毎の貸出書籍一覧の検索や表示、会員への一斉連絡等各種の棚卸作業を行うことができる。
例えば、開館中は館内において書籍を使用している場合もあるので、閉館後に書籍の紛失や棚への配置に関する棚卸し作業を行い、例えば６ヶ月に１回程度、返却予定日を過ぎた書籍についての棚卸作業を行うなど、必要に応じて各情報ファイルの検索と表示をフォーマット化しておけばよい。
【００８６】
次に物品の販売管理について説明する。
前述した説明は物品の貸出管理を図書館を例として説明したが、物品の販売管理について、書店の書籍販売を例とすると、図１３の会員情報ファイル（ａ）のメモリ領域は不要となり、また書籍情報ファイル（ｂ）においては、「貸出会員ＩＤ」「貸出日」「返却予定日」等貸出に関するエリアは不要となる。
すなわち書籍情報ファイル（ｂ）の書籍の登録に関するエリアと棚卸情報ファイル（ｃ）があれば良い。尚、書籍情報ファイル（ｂ）には当該書籍ＩＤ毎の値段や同一の書籍の総数等を記憶するエリアを設け、棚卸情報ファイル（ｃ）の「貸出中」については「販売済」エリアとしておくことで、販売されたものか、不正に持出されたものか、などを検索することができる。また、販売実績等の売り上げデータなどの集計を行うこともできる。
このような販売業務の場合は、ＩＣカードタグとループ状導電線の取り外しを係員が行い書籍を販売物として買取者へ渡すものであるが、コスト的に安価なループ状導電線については前述した貸出カードのような構造にし、販売アンケート用紙や図書コマーシャル用紙としてそのまま渡しても良い。
【００８７】
尚、本実施の形態においては図書館の書籍の管理システム、書店の書籍の販売管理システムの例を中心として説明しているが、本発明は、ビデオやＣＤ等のレンタル業務や販売業務など種々の物品の管理に好適な物品管理システムとすることができるものである。
【００８８】
【発明の効果】
本発明によれば、磁界によって電磁誘導されるタグアンテナを備え、リーダライタに接続されたアンテナとの間で電力の受信、並びに、情報の送受信を非接触で行うＩＣカードタグが取り付けられた物品において、一面にＩＣカードタグが取り付けられ、前記面に略直交する面に前記ＩＣカードタグとは非接触の別の導電線によるループ状導電線が取り付けられ、リーダライタに接続されたアンテナより生じる磁界が前記タグアンテナ又は／及び前記ループ状導電線に誘導される一方、前記ループ状導電線に誘導された磁界が前記タグアンテナにも誘導されることで、前記ＩＣカードタグが、前記タグアンテナが誘導される磁界方向及び前記ループ状導電線が誘導される磁界方向の２つの磁界方向に対応して前記リーダライタに接続されたアンテナとの通信を可能とする物品としているので、ＩＣカードタグの情報を読み取るための磁界はＩＣカードタグのタグアンテナ又はループ状導電線若しくは両方に誘導され、特にループ状導電線に誘導した磁界は更にタグアンテナにも誘導されるため、タグアンテナの感度を高め、タグアンテナが誘導される磁界方向及びループ状導電線が誘導される磁界方向の２つの磁界方向に対応して通信できる効果がある。
【００８９】
更に本発明においては、無線タグの指向性を改善して感度の向上を簡易な構成で実現することができ、物品の位置管理と不正持ち出し防止をより効率的に行うことができる物品管理システムとすることができる。
【００９０】
【図面の簡単な説明】
【図１】本発明の実施の形態に係る物品にＩＣカードタグを貼付した第１の実施例である。
【図２】本発明の実施の形態に係る物品にＩＣカードタグを貼付した第２の実施例である。
【図３】本発明の実施の形態に係る収納棚の第１の実施例である。
【図４】本発明の実施の形態に係るブック型ループアンテナの第１の実施例である。
【図５】本発明の実施の形態に係るブック型ループアンテナの第２の実施例である。
【図６】本発明の実施の形態に係る収納棚の第２の実施例である。
【図７】本発明に係り、ブック型ループアンテナまたはゲート設置のループアンテナの磁界強度を示す説明図である。
【図８】本発明に係り、ブック型ループアンテナまたはゲート設置のループアンテナを略平行に２つ配置した場合の磁界強度を示す説明図である。
【図９】本発明に係り、ＩＣカードタグの書籍への表紙または裏表紙に貼付する方法を説明する図である。
【図１０】本発明の実施の形態に係る物品管理システムの全体ブロック構成例図である。
【図１１】本発明の実施の形態に係る収納棚に設置されたリーダライタ構成を示すブロック図である。
【図１２】本発明の実施の形態に係るＩＣカードタグのブロック図である。
【図１３】本発明に係り、管理ＰＣのメモリについて特に物品管理に係るデータを蓄積する記憶領域を表す各情報ファイルの図であり、
（ａ）は会員情報ファイルのメモリテーブル図、
（ｂ）は書籍情報ファイルのメモリテーブル図、
（ｃ）は棚卸情報ファイルのメモリテーブル図を示す。
【図１４】本発明の実施の形態に係るアンテナ切替器の実施例を示す。
【図１５】本発明に係り、リーダライタとＩＣカードタグと各々の構成を示すブロック図であり送受信が行われる説明図ある。
【図１６】本発明の実施の形態に係るゲートの構成例図を示し、
（ａ）は２つのゲートをリーダライタと接続した場合の外観斜視図、
（ｂ）はゲートの長さを変更する説明図、
（ｃ）はループアンテナとリーダライタを接続するコネクタの回路図を示す。
【図１７】本発明に係り、物品がゲートを通過する際の磁界の方向による通信（リードライト検出）を説明する図である。
【図１８】本発明の実施の形態に係り、物品にＩＣカードタグを貼付した第３の実施例である。
【図１９】本発明の実施の形態に係り、物品にＩＣカードタグとループ状導電線を貼付した実施例であり、
（ａ）はループ状導電線を表紙または裏表紙に配置した説明図、
（ｂ）はＩＣカードタグとループ状導電線による磁界方向の説明図、
（ｃ）はループ状導電線にコンデンサを接続した実施例図、
（ｄ）はループ状導電線を紙片により挟み込んで固定した構造例の図である。
【図２０】本発明の実施の形態に係る収納棚の第３の実施例である。
【図２１】本発明の実施の形態に係る収納棚の実施例図であり、
（ａ）は収納棚の第４の実施例、
（ｂ）は収納棚の第５の実施例である。
【図２２】従来の図書管理システムに用いられる書籍の一例である。
【図２３】従来の図書管理システムに用いられる会員証の一例である。
【符号の説明】
１…書籍、２…バーコード、３…会員証（従来）
２０…ＩＣカードタグ、２０ａ、２０ｂ…貼付位置の異なるＩＣカードタグ、
８０…収納棚（本棚）、
８１、８２、８３、８４、８５、 ８６…架、８７、８８、８９…架、
３０、３０ａ、３０ｂ…ブック型ループアンテナ、
３０ｇ、３０ｈ…ブック型ループアンテナ、
３１…ループアンテナ（ブック型ループアンテナに使用される）、
３２…コネクタ（ブック型ループアンテナに使用される）、
３５…ブックエンド型、
４０…リーダライタ（収納棚部に設置）、
５０…アンテナ切替器、
６１、６２、６３、６４、６５、 ６６…ケーブル、
４、５、６、７、８、 ９…書籍へのＩＣカードタグの貼付位置、
１２１…管理ＰＣ、
１２２…リーダライタ（管理コンピュータ部に設置）、
１１１…ゲート、
１１０…リーダライタ（出入口部に設置）、
４１…通信インタフェース、４２…制御部、
４３…データ変調部、４４…データ復調部、
２１…ループアンテナ（ＩＣカードタグ）、２２…電源生成部、２３…制御部、
２６…メモリ
【図１】
0003802717.tif 000002
【図２】
0003802717.tif 000003
【図３】
0003802717.tif 000004
【図４】
0003802717.tif 000005
【図５】
0003802717.tif 000006
【図６】
0003802717.tif 000007
【図７】
0003802717.tif 000008
【図８】
0003802717.tif 000009
【図９】
0003802717.tif 000010
【図１０】
0003802717.tif 000011
【図１１】
0003802717.tif 000012
【図１２】
0003802717.tif 000013
【図１３】
0003802717.tif 000014
【図１４】
0003802717.tif 000015
【図１５】
0003802717.tif 000016
【図１６】
0003802717.tif 000017
【図１７】
0003802717.tif 000018
【図１８】
0003802717.tif 000019
【図１９】
0003802717.tif 000020
【図２０】
0003802717.tif 000021
【図２１】
0003802717.tif 000022
【図２２】
0003802717.tif 000023
【図２３】
0003802717.tif 000024